(57)【要約】【課題】切断後に刃体と刃体との間等に残留した体毛を、流水等の洗浄時に効率よくかつ確実に除去することができ、安心して使用することができる安全カミソリを提供する。【解決手段】異なる向きに刃先１が形成される複数の刃体２と、刃体２を支持する支持面３を備える支持部４と、使用者が把持する把持部５と、を有し、支持面３には、所定の幅と深さをもった溝６が設けられるとともに、溝６の両側の支持面３に刃体２の底部の両端側が支持し、かつ支持部４の上部を弾性体７により構成するようにした。【選択図】図１
2008048802.tif 000002
【特許請求の範囲】
【請求項１】
異なる向きに刃先が形成される複数の刃体と、刃体を支持する支持面を備える支持部と、使用者が把持する把持部と、を有し、支持面には、所定の幅と深さをもった溝が設けられるとともに、溝の両側の支持面に刃体の底部の両端側が支持されたことを特徴とする安全カミソリ。
【請求項２】
前記刃体は、上面が円弧形に形成されるとともに、刃体の上部の両側に刃先が設けられたことを特徴とする請求項１記載の安全カミソリ。
【請求項３】
前記刃体は、上面が中空の円形に形成されるとともに、刃体の上部外周側に刃先が設けられたことを特徴とする請求項１記載の安全カミソリ。
【請求項４】
前記刃体は、上面が中空の四角形に形成されるとともに、刃体の上部外周側に刃先が設けられたことを特徴とする請求項１記載の安全カミソリ。
【請求項５】
前記刃体は、四角形に配置される複数の薄板から構成され、刃体の上部が刃体の底部より内側に傾斜するとともに、刃体の上部に刃先が形成されたことを特徴とする請求項１の安全カミソリ。
【請求項６】
前記支持部において、少なくとも支持面は弾性体からなることを特徴とする請求項１から５のいずれか１項に記載の安全カミソリ。
【請求項７】
前記支持面において刃体と刃体との間には、刃体の上面を肌に押し当てた際に、刃体と刃体との間に肌が入り込むことを防止する所定の幅と高さをもった防止部が設けられたことを特徴とする請求項１から６のいずれか１項に記載の安全カミソリ。
【発明の詳細な説明】
【技術分野】
【０００１】
本願発明は、複数の刃体を有して体毛等を切断する安全カミソリに関する。
【背景技術】
【０００２】
安全カミソリにおいては、上面が円形や四角形に形成された複数の刃体が支持面上に支持されており、各々の刃体の外周側または内周側には刃先が設けられていて、この刃先により、例えば体毛が切断されている。
【０００３】
上記複数の刃体により、体毛が生えているところを刃体が通る可能性が高くなることで、体毛を効率よく切断することができる安全カミソリが提案されている（特許文献１）。
【特許文献１】特開２００５−３４６６４号公報
【発明の開示】
【発明が解決しようとする課題】
【０００４】
しかしながら、前記背景技術の特許文献１に記載の安全カミソリにおいては、体毛を切断した後に、体毛が安全カミソリに残留することがあり、特に、体毛が安全カミソリにおいて、刃体と刃体との間に残留した場合は、水洗い等による洗浄を行っても、残留した体毛を効率よく除去することが困難であった。
【０００５】
本願発明はこのような上記背景技術の課題を解決するものであり、残留した体毛を、洗浄時に効率よく除去できる安全カミソリを提供することを目的とする。
【課題を解決するための手段】
【０００６】
上記課題を解決するために、本願請求項１記載の発明は、異なる向きに刃先が形成される複数の刃体と、刃体を支持する支持面を備える支持部と、使用者が把持する把持部と、を有し、支持面には、所定の幅と深さをもった溝が設けられるとともに、溝の両側の支持面に刃体の底部の両端側が支持されたことを特徴としている。
【０００７】
本願請求項２記載の発明は、前記刃体は、上面が円弧形に形成されるとともに、刃体の上部の両側に刃先が設けられたことを特徴としている。
【０００８】
本願請求項３記載の発明は、前記刃体は、上面が中空の円形に形成されるとともに、刃体の上部外周側に刃先が設けられたことを特徴としている。
【０００９】
本願請求項４記載の発明は、前記刃体は、上面が中空の四角形に形成されるとともに、刃体の上部外周側に刃先が設けられたことを特徴としている。
【００１０】
本願請求項５記載の発明は、前記刃体は、四角形に配置される複数の薄板から構成され、刃体の上部が刃体の底部より内側に傾斜するとともに、刃体の上部に刃先が形成されたことを特徴としている。
【００１１】
本願請求項６記載の発明は、前記支持部において、少なくとも支持面は弾性体からなることを特徴としている。
【００１２】
本願請求項７記載の発明は、前記支持面において刃体と刃体との間には、刃体の上面を肌に押し当てた際に、刃体と刃体との間に肌が入り込むことを防止する所定の幅と高さをもった防止部が設けられたことを特徴としている。
【発明の効果】
【００１３】
本願請求項１記載の安全カミソリにおいては、刃体と刃体との間に残留した体毛を、洗浄時に効率よく除去できる安全カミソリを提供できる。
【００１４】
本願請求項２記載の安全カミソリにおいては、刃体を円弧形に形成することで、刃先の剛性を高くすることができるために、耐久性に優れた安全カミソリを提供することができる。
【００１５】
本願請求項３記載の安全カミソリにおいては、刃体を円形に形成することで、刃先の剛性をより高くすることができる。
【００１６】
本願請求項４記載の安全カミソリにおいては、刃体を四角形に形成することで、刃体の製造を容易に行うことができ、かつ刃先の形成についても容易に実施することができる。
【００１７】
本願請求項５記載の安全カミソリにおいては、刃先の向きを異なる複数の向きとするとともに、刃体の製造をより容易にでき、かつ刃先の形成についても、より容易に実施することができる。
【００１８】
本願請求項６記載の安全カミソリにおいては、刃体の上面を使用者の肌に押し当てた際に、刃体の上面を使用者の肌面の形状に合わせることができるために、効率よく体毛を除去できる。
【００１９】
本願請求項７記載の安全カミソリにおいては、刃体の上面を使用者の肌に押し当てた際に、刃体と刃体との間に肌が入り込むことを防止することで、安心して使用できる安全カミソリを提供することができる。
【発明を実施するための最良の形態】
【００２０】
図１、２は、本願発明の第１の実施形態である安全カミソリを示している。この安全カミソリは、図１、２に示すように、異なる向きに刃先１が形成される複数の刃体２と、刃体２を支持する支持面３を備える支持部４と、使用者が把持する把持部５と、を有し、支持面３には、所定の幅と深さをもった溝６が設けられるとともに、溝６の両側の支持面３に刃体２の底部の両端側が支持されている。
【００２１】
また、上記刃体２は、上面が円弧形に形成されるとともに、刃体２の上部の両側に刃先１が設けられており、上記支持部４においては、支持面３が設けられた支持部４の上部は、合成ゴム等の弾性体７から構成されている。
【００２２】
さらに、上記支持面３において刃体２と刃体２との間には、刃体２の上面を肌に押し当てた際に、刃体２と刃体２との間に肌が入り込むことを防止する所定の幅と高さをもった防止部８が設けられている。
【００２３】
以下、この実施形態の安全カミソリを、より具体的詳細に説明する。図１に示すように、安全カミソリの本体９があり、この本体９の下部には、使用者が把持しやすいように球形に形成された把持部５が設けられており、本体９の上部には、円柱形に形成され上面にステンレス等の金属からなる刃体２を支持する支持面３が形成された支持部４が設けられている。
【００２４】
把持部５および支持部４には、ポリプロピレンやポリエチレン、またはＡＢＳ等の樹脂が用いられているが、支持面３を含む支持部４の上側は、ＥＰＤＭやＮＢＲ等の合成ゴム等からなる弾性体７が用いられている。ここで、弾性体７は支持部４に接着剤やビス等により固定されている。
【００２５】
次に、支持面３の中心側と外周側との間には、支持面３の外周に沿って所定の幅と深さを持った溝６が設けられており、さらに支持面３には、複数の刃体２が溝６を跨ぐように溝６の両側、すなわち溝６の中心側と外周側に放射状に配置されるとともに支持されている。ここで、溝６の幅は刃体２の長さより短く、かつ深さは弾性体７の厚さと同じになるように設定されている。
【００２６】
刃体２は上面から見て円弧形に形成されるとともに、互いに同じ向きに配置されており、図２に示すように、刃体２の断面は矩形に形成されていて、刃体２の上部の両側部には、先端が鋭角に形成された刃先１が設けられている。ここで刃先１の先端の向きが、刃体２に対して水平方向よりやや上向きになるように構成されている。
【００２７】
また、刃体２と刃体２との間には、刃体２と同様に上面から見て円弧形に形成されるとともに、刃体２と同様の高さをもった複数の防止部８が設けられており、刃体２の上面を肌に押し当てた際に、刃体２と刃体２との間に肌が入り込むことを防止している。
【００２８】
防止部８は、ＥＰＤＭやＮＢＲ等の合成ゴムやポリプロピレンやポリエチレン、またはＡＢＳ等の樹脂から構成されている。
【００２９】
以上の構成において、本願発明の第１の実施形態における安全カミソリの使用状態を図１、２を用いて説明する。
【００３０】
使用者が、把持部５を把持して支持部４の支持面３に支持された刃体２の上面を、体毛を切断したい肌に押し当て、肌にそって任意の向きに移動させると、刃体２に形成された刃先１により、肌の体毛が切断される。
【００３１】
このとき、刃体２が上面から見て円弧形に形成されているために、刃体２の剛性が高く繰り返しの使用にも耐えることができるとともに、刃先１の向きを複数の異なる向きとすることができるために、体毛が生えている向きにかかわらず、効率よく体毛を切断することができる。
【００３２】
また、刃体２と刃体２との間に防止部８が設けられているために、刃体２の上面を肌に押し当てた際に、肌が刃体２と刃体２との間に入り込むことが防止されるので、万が一、使用者が刃体２の上面を肌に強く押し当てた場合であっても、肌を傷つけるようなことがなく、安心して使用することができる。
【００３３】
さらに、支持部４の上側が弾性体７により構成されているために、刃体２の上面を、体毛を切断する肌の表面の形状に合わせることができるため、刃体２と接触した体毛を確実に切断することができる。
【００３４】
体毛の切断が終了した後は、刃体２の表面や刃体２と刃体２との間、または刃体２と防止部８との間に、切断された体毛が残留しているために、次回の使用に備えて、流水等を用いて洗浄を行う必要があるが、このとき、支持面３には溝６が設けられているために、洗浄に使用される流水等が、刃体２や防止部８の上面や側面だけでなく、底面にも供給されることで、残留した体毛を容易にかつ効率よく除去することができる。
【００３５】
以上のように本願発明の第１の実施形態によれば、刃体２の剛性を高くできるとともに、刃体２と接触した体毛を効率よく、かつ確実に切断することができ、使用後残留した体毛についても、流水等による洗浄を実施することで、容易にかつ効率よく除去することができる。
【００３６】
図３、４は、本願発明の第２の実施形態である安全カミソリを示している。ここでは、上記第１の実施形態と相違する事項についてのみ説明し、同様の構成や作用効果等を有するものについては上記第１の実施形態の説明を援用する。
【００３７】
本願発明の第２の実施形態が上記第１の実施形態と異なる部分は、図３、４に示すように、刃体２が上面から見て中空の円形に形成されており、この刃体２の上側の外周に刃先１が形成されているところと、溝６が刃体２の下側の支持面３に直線状に設けられているところである。
【００３８】
また、防止部８についても角柱形に形成されるとともに、刃体２と刃体２との間の支持面３上に設けられている。
【００３９】
上記差異をふまえて、本願発明の第２の実施形態におけるヘ安全カミソリの使用状態について図３、４を用いて説明する。
【００４０】
使用者が、把持部５を把持してから、刃体２に形成された刃先１により肌の体毛が切断されるまでは、上記第１の実施形態と同様である。
【００４１】
このとき、刃体２が上面から見て円形に形成されているために、刃体２の剛性をより高くすることができ、繰り返しの使用に対する耐久性を極めて高くすることができるとともに、刃先１の向きを全ての方向とすることができるために、体毛が生えている向きにかかわらず、極めて効率よく体毛を切断することができる。
【００４２】
また、刃体２と刃体２との間に設けられた防止部８によって、刃体２の上面を肌に押し当てた際に、肌が刃体２と刃体２との間に入り込むことが防止されるので、万が一、使用者が刃体２の上面を肌に強く押し当てた場合であっても、肌を傷つけるようなことがなく、安心して使用することができる。ここで、防止部８を角柱上に形成しているために、防止部８の加工を容易に行うことができる。
【００４３】
さらに、支持部４の上側が弾性体７により構成されているために、刃体２の上面を、体毛を切断する肌の表面の形状に合わせることができるため、刃体２と接触した体毛を確実に切断することができる。
【００４４】
体毛の切断が終了した後は、刃体２の表面や刃体２と刃体２との間、または刃体２と防止部８との間に、切断された体毛が残留しているために、次回の使用に備えて、流水等を用いて洗浄を行う必要があるが、このとき、支持面３には溝６が設けられているために、洗浄に使用される流水等が、刃体２や防止部８の上面や側面だけでなく、底面にも供給されることで、残留した体毛を容易にかつ効率よく除去することができる。ここで、溝６の形状を直線状とすることで、溝６の形成を容易に行うことができる。
【００４５】
以上のように本願発明の第２の実施形態によれば、刃体２の剛性を極めて高くできるとともに、刃体２と接触した体毛をより効率よく、かつ確実に切断することができ、使用後残留した体毛についても、流水等による洗浄を実施することで、容易にかつ効率よく除去することができる。また、溝６の形成や防止部８の加工を容易に行うことができる。
【００４６】
図５から７は、本願発明の第３の実施形態である安全カミソリを示している。ここでは、上記第２の実施形態と相違する事項についてのみ説明し、同様の構成や作用効果等を有するものについては上記第２の実施形態の説明を援用する。
【００４７】
本願発明の第３の実施形態が上記第２の実施形態と異なる部分は、図５から７に示すように、刃体２が上面から見て中空の四角形に形成されており、この刃体２の上側の外周に刃先１が形成されているところと、溝６が刃体２の下側の支持面３に直線状に設けられているところである。
【００４８】
また、防止部８については角柱形に形成されていて、刃体２と刃体２との間の支持面３上において、格子状に配置されている。
【００４９】
上記差異をふまえて、本願発明の第２の実施形態におけるヘ安全カミソリの使用状態について図５から７を用いて説明する。
【００５０】
使用者が、把持部５を把持してから、刃体２に形成された刃先１により肌の体毛が切断されるまでは、上記第２の実施形態と同様である。
【００５１】
このとき、刃体２が上面から見て四角形に形成されているために、刃体２の製造や刃先１の加工を容易に行うことができるとともに、刃先１の向きを異なる複数の向きとすることができるために、体毛が生えている方向にかかわらず、効率よく体毛を切断することができる。
【００５２】
また、刃体２と刃体２との間に設けられた防止部８によって、刃体２の上面を肌に押し当てた際に、肌が刃体２と刃体２との間に入り込むことが防止されるので、万が一、使用者が刃体２の上面を肌に強く押し当てた場合であっても、肌を傷つけるようなことがなく、安心して使用することができる。ここで、防止部８を角柱上に形成しているために、防止部８の加工を容易に行うことができるとともに、防止部８を格子状に配置していることから、肌の入り込みをより確実に防止することができる。
【００５３】
さらに、支持部４の上側が弾性体７により構成されているために、刃体２の上面を、体毛を切断する肌の表面の形状に合わせることができるため、刃体２と接触した体毛を確実に切断することができる。
【００５４】
体毛の切断が終了した後は、刃体２の表面や刃体２と刃体２との間、または刃体２と防止部８との間に、切断された体毛が残留しているために、次回の使用に備えて、流水等を用いて洗浄を行う必要があるが、このとき、支持面３には溝６が設けられているために、洗浄に使用される流水等が、刃体２や防止部８の上面や側面だけでなく、底面にも供給されることで、残留した体毛を容易にかつ効率よく除去することができる。ここで、溝６の形状を直線状とすることで、溝６の形成を容易に行うことができる。
【００５５】
以上のように本願発明の第３の実施形態によれば、刃体２の製造や刃先１の加工を容易に行うことができるとともに、刃体２と接触した体毛を効率よく、かつ確実に切断することができ、使用後残留した体毛についても、流水等による洗浄を実施することで、容易にかつ効率よく除去することができる。また、溝６の形成や防止部８の加工を容易に行うことができる。
【００５６】
図８から１０は、本願発明の第４の実施形態である安全カミソリを示している。ここでは、上記第３の実施形態と相違する事項についてのみ説明し、同様の構成や作用効果等を有するものについては上記第３の実施形態の説明を援用する。
【００５７】
本願発明の第４の実施形態が上記第３の実施形態と異なる部分は、図８から１０に示すように、刃体２が複数の薄板を四角形に配置して、互いに角柱形の固定部１０により固定されているところと、刃体２の上部が底部に対して内側に傾斜して設けられており、この刃体２の上部に刃先１が形成されているところである。ここで、上記固定部１０は、ポリプロピレンやポリエチレン、またはＡＢＳ等の樹脂から構成されている。
【００５８】
上記差異をふまえて、本願発明の第４の実施形態におけるヘ安全カミソリの使用状態について図８から１０を用いて説明する。
【００５９】
使用者が、把持部５を把持してから、刃体２に形成された刃先１により肌の体毛が切断されるまでは、上記第３の実施形態と同様である。
【００６０】
このとき、刃体２が薄板から構成されているために、刃体２の製造や刃先１の加工を、より容易に行うことができるとともに、刃先１の向きを異なる複数の向きとすることができるために、体毛が生えている方向にかかわらず、効率よく体毛を切断することができる。
【００６１】
また、刃体２と刃体２との間に設けられた防止部８によって、刃体２の上面を肌に押し当てた際に、肌が刃体２と刃体２との間に入り込むことが防止されるので、万が一、使用者が刃体２の上面を肌に強く押し当てた場合であっても、肌を傷つけるようなことがなく、安心して使用することができる。ここで、防止部８を角柱上に形成しているために、防止部８の加工を容易に行うことができるとともに、防止部８を格子状に配置していることから、肌の入り込みをより確実に防止することができる。
【００６２】
さらに、支持部４の上側が弾性体７により構成されているために、刃体２の上面を、体毛を切断する肌の表面の形状に合わせることができるため、刃体２と接触した体毛を確実に切断することができる。
【００６３】
体毛の切断が終了した後は、刃体２の表面や刃体２と刃体２との間、または刃体２と防止部８との間に、切断された体毛が残留しているために、次回の使用に備えて、流水等を用いて洗浄を行う必要があるが、このとき、支持面３には溝６が設けられているために、洗浄に使用される流水等が、刃体２や防止部８の上面や側面だけでなく、底面にも供給されることで、残留した体毛を容易にかつ効率よく除去することができる。ここで、溝６の形状を直線状とすることで、溝６の形成を容易に行うことができる。
【００６４】
以上のように本願発明の第４の実施形態によれば、刃体２の製造や刃先１の加工を、より容易に行うことができるとともに、刃体２と接触した体毛を効率よく、かつ確実に切断することができ、使用後残留した体毛についても、流水等による洗浄を実施することで、容易にかつ効率よく除去することができる。また、溝６の形成や防止部８の加工を容易に行うことができる。
【００６５】
なお、上記本願発明の実施形態においては、防止部８を刃体２と刃体２との間に設けているが、例えば、支持面３の外周にも設けるようにしてもよい。また、把持部５の形状を球形としているが、使用者が把持しやすい形状であれば、どのような形状でもよく、さらに支持面３についても、例えば四角形に形成してもよい。
【００６６】
上記本願発明の第２から４の実施形態においては、溝６を直線状に形成しているが、例えば第３、４の実施形態の防止部８のように、刃体２の下側において格子状に形成するようにしてもよい。
【図面の簡単な説明】
【００６７】
【図１】本願発明の第１の実施形態である安全カミソリの斜視図。
【図２】同安全カミソリの刃体の断面図。
【図３】本願発明の第２の実施形態である安全カミソリの斜視図。
【図４】同安全カミソリの刃体の断面図。
【図５】本願発明の第３の実施形態である安全カミソリの斜視図。
【図６】同安全カミソリの刃体の断面図。
【図７】同安全カミソリの刃体と防止部の配置を示す断面図。
【図８】本願発明の第４の実施形態である安全カミソリの斜視図。
【図９】同安全カミソリの刃体の拡大斜視図。
【図１０】同安全カミソリの刃体の断面図。
【符号の説明】
【００６８】
１  刃先
２  刃体
３  支持面
４  支持部
５  把持部
６  溝
７  弾性体
８  防止部
９  本体
１０  固定部
【図１】
2008048802.tif 000003
【図２】
2008048802.tif 000004
【図３】
2008048802.tif 000005
【図４】
2008048802.tif 000006
【図５】
2008048802.tif 000007
【図６】
2008048802.tif 000008
【図７】
2008048802.tif 000009
【図８】
2008048802.tif 000010
【図９】
2008048802.tif 000011
【図１０】
2008048802.tif 000012